(57)【要約】【課題】  誤操作によるミスプリントを低減することができ、用紙の無駄を削減することができる画像形成装置を提供する。【解決手段】  コンピュータ１からプリントデータを受信し、受信したプリントデータを用紙上に画像形成する画像形成部２４を備えた画像形成装置１０であって、プリントデータの受信時にプリントデータを記憶する画像メモリ１４と、プリントデータの受信時に画像形成の要否をユーザに確認する確認部１６と、ユーザからの画像形成の要否の操作指示を受け付ける受付部２２と、受付部２２が受け付けた操作指示に従って、画像形成部２４におけるプリントデータの画像形成を制御する制御部２５と、を備える。【選択図】      図１
2006244378.tif 000002
【特許請求の範囲】
【請求項１】
外部装置からプリントデータを受信し、受信した前記プリントデータを用紙上に画像形成する印字部を備えた画像形成装置であって、
前記プリントデータの受信時に前記プリントデータを記憶する記憶部と、
前記プリントデータの受信時に画像形成の要否をユーザに確認する確認部と、
前記ユーザからの前記画像形成の要否の操作指示を受け付ける受付部と、
前記受付部が受け付けた前記操作指示に従って、前記印字部における前記プリントデータの前記画像形成を制御する制御部と、
を備えたことを特徴とする画像形成装置。
【請求項２】
請求項１に記載の画像形成装置において、
前記確認部は、
前記画像形成の要否を確認するか否かの確認設定を記憶する設定記憶部と、
前記設定記憶部を参照し、前記確認設定を判別する判別部と、を含み、
前記確認部は、前記確認設定が前記画像形成の要否を確認する設定の場合は、前記画像形成の要否を前記ユーザに確認し、前記受付部に前記操作指示を受け付けさせ、前記画像形成の要否を確認しない設定の場合は、前記画像形成の要否を前記ユーザに確認せずに、前記制御部に前記印字部における前記プリントデータの前記画像形成を指示することを特徴とする画像形成装置。
【請求項３】
請求項１または２に記載の画像形成装置において、
前記受信した前記プリントデータのページ枚数が所定枚数以上か否かを判定する枚数判定部と、を含み、
前記所定枚数以上の場合に、前記確認部は前記画像形成の要否を前記ユーザに確認し、前記受付部は、前記操作指示を受け付けることを特徴とする画像形成装置。
【請求項４】
請求項３に記載の画像形成装置において、
前記枚数判定部が判定に使用する前記所定枚数の設定を受け付ける枚数受付部を含み、
前記枚数受付部が受け付けた前記所定枚数の設定を前記設定記憶部に記憶することを特徴とする画像形成装置。
【請求項５】
請求項１乃至４いずれかに記載の画像形成装置において、
前記受信した少なくとも一つのプリントジョブの識別情報を提示する提示部を含み、
前記受付部は、前記プリントジョブ毎に前記操作指示を受け付けることを特徴とする画像形成装置。
【請求項６】
請求項１乃至５いずれかに記載の画像形成装置において、
前記確認部からの要求開始時から前記受付部が前記操作指示を受け付けるまでの待ち時間を計時する計時部と、
前記待ち時間が所定時間以上か否かを判定する時間判定部と、
前記所定時間以上と判定された場合、前記制御部は前記印字部に前記プリントデータの前記画像形成させることを特徴とする画像形成装置。
【請求項７】
請求項６に記載の画像形成装置において、
前記所定時間を受け付ける時間受付部を含むことを特徴とする画像形成装置。
【請求項８】
請求項２乃至７いずれかに記載の画像形成装置において、
前記確認設定を、ユーザ毎に受け付ける設定受付部を含むことを特徴とする画像形成装置。
【請求項９】
画像形成装置において用紙上に画像形成するためのプリントデータを前記画像形成装置に送信する画像形成装置制御装置であって、
前記画像形成装置における前記プリントデータの印字前に、画像形成の要否をユーザに確認するか否かの確認設定を受け付ける受付部と、
前記受付部が受け付けた前記確認設定を前記プリントデータとともに前記画像形成装置に送信する送信部と、を備えたことを特徴とする画像形成装置制御装置。
【発明の詳細な説明】
【技術分野】
【０００１】
本発明は、画像形成装置およびその制御装置に関し、特に、プリントデータを用紙上に高速に画像形成する画像形成装置およびその制御装置に関する。
【背景技術】
【０００２】
近年、印刷装置は高速化が進み、大量かつ高速な印刷が可能となってきている。従来の印刷装置としては、たとえば特許文献１に記載されたものがある。同文献に記載された印刷装置は、複雑化した印刷データに対しても操作パネルから印刷ジョブのキャンセル機能を実行することができる構成を有している。このパーソナルコンピュータ（以下、「パソコン」と略す）などから印刷指示された印刷ジョブを印刷装置側でキャンセルする機能は、多くの装置でも採用されている。
【特許文献１】特開２００２−１６６６２６号公報
【発明の開示】
【発明が解決しようとする課題】
【０００３】
このような背景下で、ユーザがパソコンなどから印刷指示を行った直後に、誤ったファイルをプリントしたことに気付いても、最近の印刷装置は高速であるために、印刷装置のところに行った時には、既に印刷が終了してしまっており、用紙が無駄になってしまうケースが生じてくる。
【０００４】
また、コンピュータ技術の進歩に伴い、印刷装置のネットワーク化などが進み、最近では複数のコンピュータから共有して印刷装置を使用するのが当たり前となってきている。そんな中、印刷ジョブのキャンセルを行う場合、他のパソコンから印刷指示された印刷ジョブを誤ってキャンセルしてしまわない構成が望まれる。
【０００５】
本発明は上記事情に鑑みてなされたものであり、その目的とするところは、誤操作によるミスプリントを低減することができ、用紙の無駄を削減することができる画像形成装置を提供することにある。
【課題を解決するための手段】
【０００６】
本発明によれば、外部装置からプリントデータを受信し、受信した前記プリントデータを用紙上に画像形成する印字部を備えた画像形成装置であって、
前記プリントデータの受信時に前記プリントデータを記憶する記憶部と、
前記プリントデータの受信時に画像形成の要否をユーザに確認する確認部と、
前記ユーザからの前記画像形成の要否の操作指示を受け付ける受付部と、
前記受付部が受け付けた前記操作指示に従って、前記印字部における前記プリントデータの前記画像形成を制御する制御部と、
を備えたことを特徴とする画像形成装置が提供される。
【０００７】
ここで、外部装置とは、たとえば、パソコンなどであり、ページプリンタなどの画像形成装置に対して、プリントデータ、たとえば、ＰＤＬ（Page Description Language：ページ記述言語）データを送信する。確認部は、たとえば、画像形成装置の操作パネルの表示部に、「プリントしますか？  ＯＫ／キャンセル」などの確認メッセージと操作ボタンを表示し、ユーザに画像形成の要否の操作指示を促すことができる。受付部は、画像形成装置に設けられた操作パネルの操作ボタン、操作キー、タッチパネルなどの操作部のユーザの操作による画像形成の要否の操作指示を受け付ける。
【０００８】
この発明によれば、パソコンなどから指示されたプリントジョブを、出力装置側で、ユーザに実行の確認をしてから印刷することができるので、印刷ファイル指定の間違いなどの誤操作によるミスプリントを低減することができ、用紙の無駄を削減することができる画像形成装置が提供される。
【０００９】
上記画像形成装置において、前記確認部は、前記画像形成の要否を確認するか否かの確認設定を記憶する設定記憶部と、前記設定記憶部を参照し、前記確認設定を判別する判別部と、を含むことができ、前記確認部は、前記確認設定が、前記画像形成の要否を確認する設定の場合は、前記画像形成の要否を前記ユーザに確認し、前記受付部に前記操作指示を受け付けさせ、前記画像形成の要否を確認しない設定の場合は、前記画像形成の要否を前記ユーザに確認せずに、前記制御部に前記印字部における前記プリントデータの前記画像形成を指示することができる。
【００１０】
この構成によれば、画像形成の要否の操作指示を要求させるか否かを確認設定することができるので、必要に応じて確認設定を変更することができるので、利便性が良い。
【００１１】
上記画像形成装置において、前記受信した前記プリントデータのページ枚数が所定枚数以上か否かを判定する枚数判定部と、を含むことができ、前記所定枚数以上の場合に、前記確認部は前記画像形成の要否を前記ユーザに確認し、前記受付部は、前記操作指示を受け付けることができる。
【００１２】
この構成によれば、所定枚数以上の場合にのみ、画像形成の要否をユーザに確認するので、少量枚数の印刷時には確認せずに、多量の枚数を印字するときのみ確認を行うなど、効果的な運用を行うことができる。
【００１３】
上記画像形成装置において、前記枚数判定部が判定に使用する前記所定枚数の設定を受け付ける枚数受付部を含むことができ、前記枚数受付部が受け付けた前記所定枚数の設定を前記設定記憶部に記憶することができる。
【００１４】
上記画像形成装置において、前記受信した少なくとも一つのプリントジョブの識別情報を提示する提示部を含むことができ、前記受付部は、前記プリントジョブ毎に前記操作指示を受け付けることができる。
【００１５】
ここで、識別情報とは、たとえば、プリントジョブ毎に、ユーザ名、端末名、ホスト名、ファイル名、ページ枚数などを含むことができる。また、提示部とは、画像形成装置に設けられた表示部などである。受付部は、提示部が提示したプリントジョブ毎に、画像形成の要否の操作指示を、操作パネル上のキーボード、操作ボタンやタッチパネルなどの操作部を介して受け付ける。
【００１６】
上記画像形成装置において、前記確認部からの要求開始時から前記受付部が前記操作指示を受け付けるまでの待ち時間を計時する計時部と、前記待ち時間が所定時間以上か否かを判定する時間判定部と、前記所定時間以上と判定された場合、前記制御部は前記印字部に前記プリントデータの前記画像形成させることができる。
【００１７】
この構成によれば、画像形成の要求の受け付け待ち時間が所定時間以上継続した場合に、自動的に印字することができるので、待ち時間が長引くことによる他のプリントジョブへの、プリント不可などの悪影響を抑制することができる。
【００１８】
上記画像形成装置において、前記所定時間を受け付ける時間受付部を含むことができる。上記画像形成装置において、前記確認設定を、ユーザ毎に受け付ける設定受付部を含むことができる。この構成によれば、ユーザ毎に操作指示の要否の確認設定を受け付けることができるので、たとえば、ユーザ名、端末名、ホスト名毎に、画像形成の要否の操作指示を要求させるか否かの確認設定を行うことができる。
【００１９】
本発明によれば、画像形成装置において、用紙上に画像形成するためのプリントデータを前記画像形成装置に送信する画像形成装置制御装置であって、
前記画像形成装置における前記プリントデータの印字前に、画像形成の要否をユーザに確認するか否かの確認設定を受け付ける受付部と、
前記受付部が受け付けた前記確認設定を前記プリントデータとともに前記画像形成装置に送信する送信部と、を備えたことを特徴とする画像形成装置制御装置を提供することができる。
【００２０】
この構成によれば、画像形成装置のドライバ側で、画像形成の要否の確認をするか否かの確認設定が設定でき、画像形成装置に確認設定を送信することにより、確認の要否を画像形成側で判断することができることとなる。確認設定の設定および送信は、プリントデータ送信時に毎回または随時、行うこともできるし、定期的に行うこともできるし、画像形成装置からの要求時に送信することもできる。また、この構成において、ユーザ毎にドライバにて確認設定を行うこともできる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、誤操作によるミスプリントを低減することができ、用紙の無駄を削減することができる画像形成装置が提供される。
【発明を実施するための最良の形態】
【００２３】
以下、本発明の実施の形態について、図面を用いて説明する。尚、すべての図面において、同様な構成要素には同様の符号を付し、適宜説明を省略する。
【００２４】
図１は、本発明の実施の形態に係る画像形成装置を示す機能ブロック図である。画像形成装置１０は、外部装置（コンピュータ１）からプリントデータを受信し、受信したプリントデータを用紙上に画像形成する印字部（画像形成部２４および出力部２６）を備えた画像形成装置（画像形成装置１０）であって、プリントデータの受信時にプリントデータを記憶する記憶部（画像メモリ１４）と、プリントデータの受信時に画像形成の要否をユーザに確認する確認部（確認部１６および表示部１８）と、ユーザからの画像形成の要否の操作指示を受け付ける受付部（操作部２０および受付部２２）と、受付部が受け付けた操作指示に従って、印字部におけるプリントデータの画像形成を制御する制御部（制御部２５）と、を備える。
【００２５】
画像形成装置１０は、たとえば、ページプリンタなどであり、コンピュータ１などの外部装置からプリントデータ、たとえばＰＤＬデータを受信し、受信したプリントデータを用紙上に画像形成する。コンピュータ１は、たとえば、パソコン、ワークステーション、ＰＤＡ（Personal Digital Assistance）などであり、画像形成装置１０に接続される。画像形成装置１０およびコンピュータ１間は、たとえば、ＵＳＢケーブル、パラレルケーブル、ＬＡＮケーブル、あるいは無線ＬＡＮなどを介して接続することができる。なお、図１において、本発明の本質に関わらない部分の構成については省略してある。
【００２６】
また、画像形成装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２７】
図１に示すように、画像形成装置１０は、受信部１２と、画像メモリ１４と、確認部１６と、表示部１８および操作部２０を含む操作パネル１７と、受付部２２と、画像形成部２４と、制御部２５と、出力部２６と、を備える。
【００２８】
受信部１２は、コンピュータ１からプリントデータを受信する。上述したように、画像形成装置１０は、コンピュータ１にＵＳＢケーブル、パラレルケーブル、ＬＡＮケーブル、あるいは無線ＬＡＮなどを介して接続され、受信部１２は、これらのインタフェース機能を含む。
【００２９】
画像メモリ１４は、たとえば、揮発性記憶装置であり、受信部１２が受信したプリントデータを一時的に記憶する。確認部１６は、受信部１２がプリントデータを受信した時、画像形成の要否をユーザに確認するメッセージなどを表示部１８上に表示させる。
【００３０】
表示部１８は、たとえば、ランプ、ＬＥＤ、ＣＲＴモニタ、液晶ディスプレイなどであり、各種情報表示、操作画面表示、画像形成装置１０の動作や状態表示などを行う。操作部２０は、たとえば、操作ボタン、スイッチ、レバー、キーボード、タッチパネルなどであり、ユーザからの各種設定および入力などの操作指示を受け付ける。
【００３１】
受付部２２は、ユーザが操作部２０を操作して行った指示を受け付ける。たとえば、画像形成の要否の操作指示を受け付ける。画像形成部２４は、画像メモリ１４に記憶されたプリントデータを用紙上に画像形成し、出力部２６に印字指示を行う。制御部２５は、受付部２２が受け付けた操作指示に従って、画像形成部２４におけるプリントデータの画像形成を制御する。すなわち、受付部２２が画像形成要求の指示を受け付けた場合、画像形成部２４にプリントデータの画像形成を実行させ、出力部２６から出力させる。一方、受付部２２が画像形成不要の指示を受け付けた場合、画像形成部２４にプリントデータの画像形成を行わせずに、画像メモリ１４上のプリントデータを消去する。
【００３２】
出力部２６は、画像形成部２４が形成した画像を印刷出力する。
【００３３】
図２は、図１の画像形成装置１０の確認部１６の詳細を示す機能ブロック図である。確認部１６は、ジョブ受付部３０と、判別部３２と、設定記憶部３４と、を含む。
【００３４】
ジョブ受付部３０は、受信部１２が受信したプリントデータのプリントジョブを受け付ける。設定記憶部３４は、たとえば、確認部１６に画像形成の要否を確認させるか否かの確認設定や、確認条件を記憶する。これらの設定は、装置毎の設定でも良いし、ユーザ単位の設定とすることもできる。ここで、ユーザ単位の設定とは、たとえば、ユーザ名、端末名、ホスト名などを指定して設定することである。これらの設定は、表示部１８に表示された設定画面（不図示）上でユーザが操作部２０を用いて設定することができ、設定受付部（不図示）によって受け付けられ、設定記憶部３４に記憶される。
【００３５】
判別部３２は、設定記憶部３４を参照し、予め登録されている確認設定や、確認条件に従って、ユーザに画像形成の要否を確認するか否かを判別する。たとえば、設定記憶部３４には、ユーザ名毎に、画像形成の要否をするか否かの確認設定が登録できるものとすると、判別部３２は、ジョブ受付部３０が受け付けたプリントジョブのユーザ名に対応した確認設定を参照し、画像形成の要否を確認する設定の場合は、表示部１８に確認メッセージを表示させ、受付部２２に操作指示を受け付けさせる。一方、画像形成の要否を確認しない設定の場合は、画像形成の要否をユーザに確認せずに、制御部２５に画像形成部２４におけるプリントデータの画像形成を指示する。
【００３６】
また、本実施形態において、画像形成装置１０の判別部３２は、受信部１２が受信したプリントデータのページ枚数が所定枚数以上か否かを判定することができる。所定枚数以上の場合、画像形成の要否をユーザに確認する確認メッセージを表示部１８に表示させ、所定枚数以下の場合は、画像形成の要否をユーザに確認せずに、制御部２５に画像形成指示を通知する。ここで、判別部３２が判定に使用する所定枚数の設定は、設定記憶部３４に確認条件として記憶することができる。この所定枚数の設定は、操作パネル１７上から変更可能とすることができる。また、設定は、ユーザ名、端末名、ホスト名毎に指定することもできる。また、受信部１２が受信したプリントデータのページ枚数は、画像形成装置１０が計数してもよいし、あるいは、プリントデータに含まれる合計枚数を取得してもよい。
【００３７】
図３（ａ）は、図１の確認部１６が表示部１８に表示させるプリント状況画面４０の一例を示す図である。プリント状況画面４０には、プリントジョブ毎に、文書名４２と、ユーザ名４４と、ページ数４６と、状態４８と、が表示される。この他にも、端末名、ホスト名などを表示させてもよい。状態４８の「出力中」とは、そのプリントジョブが現在出力中であることを示す。また、「出力待」とは、そのプリントジョブが画像形成要求され、他のプリントジョブが終了し次第出力されるよう待機中であることを示す。「指示待」とは、そのプリントジョブの画像形成の要否を確認中であることを示す。ユーザがこのジョブを選択すると、反転表示４９され、選択状態であることが示され、その後選択を確定すると、つづいて、たとえば、図３（ｂ）の確認画面５０が表示部１８に表示される。あるいは、選択した時、確認画面５０が表示されてもよい。
【００３８】
図３（ｂ）に示すように、確認画面５０には、確認メッセージ５１と、文書名５２と、ユーザ名５４と、ページ数５６と、ＯＫボタン５８と、キャンセルボタン５９と、が表示される。確認メッセージ５１は、たとえば、「以下の文書を出力しますが、よろしいですか？」などのメッセージである。確認画面５０には、端末名、ホスト名などを表示させてもよい。
【００３９】
ユーザがＯＫボタン５８を押下すると、受付部２２は画像形成要求の指示を受け付ける。ユーザがキャンセルボタン５９を押下すると、受付部２２は画像形成不要の指示を受け付ける。
【００４０】
このように構成された画像形成装置１０の動作について、以下に説明する。図４は、本実施形態の画像形成装置１０の動作の一例を示すフローチャートである。以下、図１乃至図４を用いて説明する。
【００４１】
まず、受信部１２がプリントデータを受信すると（Ｓ１１のＹＥＳ）、画像メモリ１４にプリントデータが記憶されるとともに、確認部１６において、ジョブ受付部３０がプリントジョブを受け付け、判別部３２が設定記憶部３４を参照し、プリントジョブのユーザの画像形成の要否を確認するか否かの確認設定を確認する（Ｓ１３）。画像形成の要否を確認する設定の場合（Ｓ１３のＹＥＳ）は、判別部３２は、受信部１２が受信したプリントデータのページ枚数が、所定枚数以上か否かを判定する（Ｓ１５）。所定枚数以上の場合（Ｓ１５のＹＥＳ）、確認部１６は、表示部１８に図３（ｂ）に示す確認画面５０を表示する（Ｓ１７）。確認画面５０のＯＫボタン５８が押下されると（Ｓ１９のＹＥＳ）、制御部２５が画像形成部２４にプリントデータの画像形成を指示し、画像形成部２４が画像形成を行い、出力部２６を介して印刷出力される（Ｓ２３）。
【００４２】
一方、確認画面５０のキャンセルボタン５９が押下された場合（Ｓ１９のＮＯおよびＳ２１のＹＥＳ）、制御部２５は、そのプリントジョブをキャンセルし、画像メモリ１４から該当するプリントデータを消去し（Ｓ２５）、ステップＳ１１に戻る。
【００４３】
なお、ステップＳ１９およびステップＳ２１でＯＫボタン５８またはキャンセルボタン５９が押下させるまでは（Ｓ１９のＮＯおよびＳ２１のＮＯ）、確認画面５０が表示される（Ｓ１７）。
【００４４】
また、ステップＳ１３で画像形成の要否を確認しない設定の場合（Ｓ１３のＮＯ）、またはステップＳ１５でプリント枚数が所定枚数以上でない場合（Ｓ１５のＮＯ）、ステップＳ２３に進み、制御部２５は、画像形成部２４に対して画像形成を指示する。
【００４５】
以上説明したように、本発明の実施の形態の画像形成装置１０によれば、パソコンなどから指示されたプリントジョブを、出力装置側で、ユーザに実行の確認をしてから印刷することができるので、印刷ファイル指定の間違いなどの誤操作によるミスプリントを低減することができ、用紙の無駄を削減することができる。
【００４６】
以上、図面を参照して本発明の実施形態について述べたが、これらは本発明の例示であり、上記以外の様々な構成を採用することもできる。
【００４７】
たとえば、上記実施の形態において、画像形成の要否の確認をするか否かの確認設定は、画像形成装置１０側で行う構成としたが、これに限定されない。画像形成装置１０において用紙上に画像形成するためのプリントデータを前記画像形成装置に送信するドライバ（不図示）に、画像形成装置１０におけるプリントデータの印字前に、画像形成の要否を確認するか否かの確認設定を受け付ける受付部（不図示）と、画像形成装置の確認部１６に、受付部が受け付けた確認設定をプリントデータとともに画像形成装置１０に送信する送信部（不図示）と、を設けてもよい。
【００４８】
この構成によれば、画像形成装置１０のドライバ側で、画像形成の要否の確認をするか否かの確認設定を設定でき、画像形成装置にプリントデータとともに確認設定を送信することにより、確認の要否を画像形成側で判断することができることとなる。すなわち、確認設定が「確認要」と設定されている場合は、送信部は、設定内容として「確認要」を示す情報を画像形成装置１０に送信し、「確認不要」と設定されている場合は、送信部は、設定内容として「確認不要」を示す情報を画像形成装置１０に送信する。
【００４９】
そして、画像形成装置１０の確認部１６は、プリントデータとともに受信した確認設定に従って、画像形成の要否の確認が必要か否かを判別する。「確認不要」である場合は、画像形成要否の操作指示を受付部２２が受け付けることなく、直ちに画像形成装置１０の制御部２５が画像形成部２４にプリントデータの画像形成を行わせる。一方、「確認要」である場合、画像形成は直ぐには行わず、受付部２２がユーザからの画像形成要否の操作指示を受け付けた後、受け付けた操作指示に従って、上記実施形態で説明したように、制御部２５が画像形成の制御を行う。
【００５０】
具体的には、画像形成装置１０にプリント指示を行うための設定画面において、確認要否の設定を行うことができる。確認要否は、プリントジョブ毎に設定可能としてもよいし、ドライバの機器設定として、複数プリントジョブに対して共通に設定変更可能としてもよい。設定画面で設定された設定内容を受付部が受け付ける。
【００５１】
なお、確認設定の設定および送信は、プリントデータ送信時にプリントジョブごとに毎回または随時、行うこともできるし、ドライバの機器設定として設定されている場合は、確認設定をドライバ側で記憶部（不図示）に記憶しておき、記憶された確認設定が変更されたときに随時、または定期的に送信することもできるし、画像形成装置からの要求時に送信することもできる。また、この構成において、ユーザ毎にドライバにて確認設定を行うこともできる。
【００５２】
さらに、他の実施形態のドライバとして、確認設定の受付部は、プリントジョブを構成するプリントデータのページ数に応じて、確認要否を判定して設定を受け付けるようにしてもよい。この時、ページ数が所定枚数以上の場合に「確認要」と設定し、所定枚数未満の場合には、「確認不要」と設定することができる。この構成によれば、ユーザが確認要否の確認設定を行わなくても印字ページ数が多い場合に、自動的に確認設定を「確認要」に設定することができる。
【００５３】
また、他の実施形態として、確認部１６からの要求開始時から受付部２２が操作指示を受け付けるまでの待ち時間を計時する計時部（不図示）と、待ち時間が所定時間以上か否かを判定する時間判定部（不図示）と、所定時間以上と判定された場合、制御部２５は画像形成部２４にプリントデータの画像形成させることができる。なお、この構成において、画像形成装置１０は、所定時間を受け付ける時間受付部を含むことができる。
【００５４】
この構成によれば、画像形成の要求の受け付け待ち時間が所定時間以上継続した場合に、自動的に印字することができるので、待ち時間が長引くことによる他のプリントジョブへの、プリント不可などの悪影響を抑制することができる。
【００５５】
さらに、他の実施形態において、受信部１２が受信した画像データのページ枚数に応じて、上記画像形成の要求の受け付け待ち時間を制御することもできる。すなわち、受信画像データのページ枚数が所定枚数より多い場合は、待ち時間を長く設定し、少ない場合は待ち時間を短くするなど制御することができる。
【図面の簡単な説明】
【００５６】
【図１】本発明の実施の形態に係る画像形成装置を示す機能ブロック図である。
【図２】図１の画像形成装置の確認部の詳細を示す機能ブロック図である。
【図３】図１の画像形成装置の表示部に表示される画面の例を示す図である。
【図４】図１の画像形成装置の動作の一例を示すフローチャートである。
【符号の説明】
【００５７】
１  コンピュータ
１０  画像形成装置
１２  受信部
１４  画像メモリ
１６  確認部
１７  操作パネル
１８  表示部
２０  操作部
２２  受付部
２４  画像形成部
２５  制御部
２６  出力部
３０  ジョブ受付部
３２  判別部
３４  設定記憶部
４０  プリント状況画面
５０  確認画面
【図１】
2006244378.tif 000003
【図２】
2006244378.tif 000004
【図３】
2006244378.tif 000005
【図４】
2006244378.tif 000006